(57)【要約】【課題】嵩張らない状態で流通可能で、使用時には所望の油捕集性能が得られるフィルターを提供する。【解決手段】フィルター構造体１は、可撓性を有し、各々の面同士が積層される短冊状の複数のシート１０Ａ〜１０Ｄと、シートの積層方向Ｘに隣接するシートの間がつなぎ合わされてなる接合部分４１、４３、４４及び４６とを備え、積層方向Ｘに隣接する層にある接合部分同士は、積層方向Ｘの投影視において重ならないように離間し、接合部分の各々は、短冊状の短手方向視において、千鳥状に配置されている。このように構成すると、シートと接合部分とからなる積層構造が積層方向へ伸長可能なハニカム構造となるため、流通時には嵩張らないよう縮小でき、使用時には伸長することで油捕集機能を発揮できるフィルター構造体１が得られる。【選択図】  図２
2016153104.tif 000002
【特許請求の範囲】
【請求項１】
可撓性を有し、各々の面同士が積層される短冊状の複数のシートと、
前記シートの積層方向に隣接するシートの間がつなぎ合わされてなる接合部分とを備え、
前記積層方向に隣接する層にある前記接合部分同士は、前記積層方向の投影視において重ならないように離間し、
前記接合部分の各々は、前記短冊状の短手方向視において、千鳥状に配置されている、フィルター構造体。
【請求項２】
前記複数のシート各々は、前記複数のシート各々の面の直交方向が、前記積層方向に一致するように積層される、請求項１記載のフィルター構造体。
【請求項３】
前記複数のシート各々は、前記複数のシート各々の面の直交方向が、前記短冊状の短手方向の端部を含む仮想平面に対して傾斜するように積層される、請求項１記載のフィルター構造体。
【請求項４】
前記接合部分は、前記短冊状のシートの短手方向の一方から他方にかけて形成され、前記短冊状の短手方向に交差する角度で設けられる、請求項１から請求項３のいずれかに記載のフィルター構造体。
【請求項５】
前記シートは、金属水酸化物を含んだ紙材料からなる、請求項１から請求項４のいずれかに記載のフィルター構造体。
【請求項６】
前記シートは、金属箔材料からなる、請求項１から請求項４のいずれかに記載のフィルター構造体。
【請求項７】
短冊状の複数のシートの各々の面同士が積層された構造を有するフィルター構造体の製造方法であって、
可撓性を有する同一矩形状の複数枚の基材シートを、端縁を揃えて重ねた状態で、
（ｉ）隣接する基材シート同士に対しては、前記端縁を構成する第１辺に対して交差する第１の方向に複数の筋状に接合する接合部分を設け、
（ｉｉ）隣接する層にある前記接合部分同士については、前記積層方向の投影視において重ならないように離間し、且つ、
（ｉｉｉ）前記接合部分の各々が、前記第１辺の各々を含む仮想平面において、千鳥状になるように配置する、
という条件で積層し、前記仮想平面を端面とする直方体棒形状の積層体を準備する工程と、
前記積層体を、前記端面に続く胴体部を平面状の切断面で切断することでフィルター構造体を得る工程とを含む、フィルター構造体の製造方法。
【請求項８】
前記切断面は、前記端面に対して平行で且つ所定間隔の位置に形成された少なくとも一つの面を含む、請求項７記載のフィルター構造体の製造方法。
【請求項９】
前記切断面は、各々が前記端面に対して傾斜し且つ所定間隔の位置に平行に形成された少なくとも一対の面を含む、請求項７記載のフィルター構造体の製造方法。
【発明の詳細な説明】
【技術分野】
【０００１】
この発明は、フィルター構造体及びその製造方法に関し、特に、レンジフードの油汚れ等を防止するためレンジフードに取り付けられるフィルター構造体及びその製造方法に関するものである。
【背景技術】
【０００２】
従来、レンジフードの油汚れを防止するために、金属フィルターの外面に着脱自在に取り付けられるフィルターが知られている。又、このようなフィルターの多くは、化繊を用いた不織布をフィルターとしている。しかしながら、不織布では吸着できる油汚れに限りがあるため、例えば、フィルターを波型形状にする等、形状を工夫して表面積を増やし油捕集性能の向上を図ることが提案されていた（特許文献１）。
【先行技術文献】
【特許文献】
【０００３】
【特許文献１】実用新案登録第２５９０９６４号公報
【発明の概要】
【発明が解決しようとする課題】
【０００４】
ところで、不織布フィルターは、その性質上、重ねあわせた状態が継続すると嵩高さが減少し、油捕集性能が低下してしまう。
【０００５】
このため、本来の不織布フィルターの油捕集性能を発揮させるためには、加工、輸送及び保管において、注意する必要がある。
【０００６】
例えば、不織布フィルターを真空包装すれば、嵩高さが減少するので輸送には適するが、不織布フィルター本来の油捕集性能を発揮できなくなってしまうため、結果として、このような包装形態は採用し難い。よって、不織布フィルターは嵩高い状態で輸送を行わざるを得ず、環境に負荷がかかることになる。
【０００７】
この発明は、上記のような課題を解決するためになされたもので、嵩張らない状態で流通可能で、使用時には所望の油捕集性能が得られるフィルターを提供することを目的とする。
【課題を解決するための手段】
【０００８】
上記の目的を達成するために、請求項１記載の発明は、可撓性を有し、各々の面同士が積層される短冊状の複数のシートと、シートの積層方向に隣接するシートの間がつなぎ合わされてなる接合部分とを備え、積層方向に隣接する層にある接合部分同士は、積層方向の投影視において重ならないように離間し、接合部分の各々は、短冊状の短手方向視において、千鳥状に配置されているものである。
【０００９】
このように構成すると、シートと接合部分とからなる積層構造が積層方向への伸長可能な中空六角形状（蜂の巣状）のハニカム構造となる。
【００１０】
請求項２記載の発明は、請求項１記載の発明の構成において、複数のシート各々は、複数のシート各々の面の直交方向が、積層方向に一致するように積層されるものである。
【００１１】
このように構成すると、短冊状の短手方向が短冊状の短手方向の端部を含む仮想平面に直交する構造となる。言い換えれば短手方向にシートが伸びる方向が、仮想平面に直交する方向と一致する。
【００１２】
請求項３記載の発明は、請求項１記載の発明の構成において、複数のシート各々は、複数のシート各々の面の直交方向が、短冊状の短手方向の端部を含む仮想平面に対して傾斜するように積層されるものである。
【００１３】
このように構成すると、油煙を含む空気がシート間を通過する際に、シート面に接触しやすくなる。すなわち、油分がシート面に接触して付着しやすくなる。
【００１４】
請求項４記載の発明は、請求項１から請求項３のいずれかに記載の発明の構成において、接合部分は、短冊状のシートの短手方向の一方から他方にかけて形成され、短冊状の短手方向に交差する角度で設けられるものである。
【００１５】
このように構成すると、油煙を含む空気がシート間を通過する際に、接合部分に接触しやすくなる。すなわち、油分が接合部分に接触して付着しやすくなる。
【００１６】
請求項５記載の発明は、請求項１から請求項４のいずれかに記載の発明の構成において、シートは、金属水酸化物を含んだ紙材料からなるものである。
【００１７】
このように構成すると、難燃性が得られる。
【００１８】
請求項６記載の発明は、請求項１から請求項４のいずれかに記載の発明の構成において、シートは、金属箔材料からなるものである。
【００１９】
このように構成すると、金属箔材料は比較的熱伝導率が高い傾向があるので、放熱効果が高くなり、フィルターを通過する空気中に含まれる油分が凝縮してシートに捕集されやすくなる。
【００２０】
請求項７記載の発明は、短冊状の複数のシートの各々の面同士が積層された構造を有するフィルター構造体の製造方法であって、可撓性を有する同一矩形状の複数枚の基材シートを、端縁を揃えて重ねた状態で、（ｉ）隣接する基材シート同士に対しては、端縁を構成する第１辺に対して交差する第１の方向に複数の筋状に接合する接合部分を設け、（ｉｉ）隣接する層にある接合部分同士については、積層方向の投影視において重ならないように離間し、且つ、（ｉｉｉ）接合部分の各々が、第１辺の各々を含む仮想平面において、千鳥状になるように配置する、という条件で積層し、仮想平面を端面とする直方体棒形状の積層体を準備する工程と、積層体を、端面に続く胴体部を平面状の切断面で切断することでフィルター構造体を得る工程とを含むものである。
【００２１】
このように構成すると、積層体から、所望の厚みの多数の上記フィルター構造体が得られる。
【００２２】
請求項８記載の発明は、請求項７記載の発明の構成において、切断面は、端面に対して平行で且つ所定間隔の位置に形成された少なくとも一つの面を含むものである。
【００２３】
このように構成すると、切断するたびに、切断面が端面と平行なフィルター構造体を得ることができる。
【００２４】
請求項９記載の発明は、請求項７記載の発明の構成において、切断面は、各々が端面に対して傾斜し且つ所定間隔の位置に平行に形成された少なくとも一対の面を含むものである。
【００２５】
このように構成すると、切断面が端面に対して傾斜したフィルター構造体を得ることができる。
【発明の効果】
【００２６】
以上説明したように、請求項１記載の発明は、シートと接合部分とからなる積層構造が積層方向へ伸長可能なハニカム構造となるため、流通時には嵩張らないよう縮小でき、使用時には伸長することで油捕集機能を発揮できるフィルター構造体が得られる。又、フィルター構造体を伸縮させることで油捕集機能を調節することも可能である。
【００２７】
請求項２記載の発明は、請求項１記載の発明の効果に加えて、短手方向にシートが伸びる方向が、仮想平面に直交する方向と一致するため、仮想平面に直交する方向からの力に対する強度が高くなる。
【００２８】
請求項３記載の発明は、請求項１記載の発明の効果に加えて、油分がシート面に接触して付着しやすくなるため、油捕集性能が向上する。
【００２９】
請求項４記載の発明は、請求項１から請求項３のいずれかに記載の発明の効果に加えて、油分が接合部分に接触して付着しやすくなるため、油捕集性能が向上する。
【００３０】
請求項５記載の発明は、請求項１から請求項４のいずれかに記載の発明の効果に加えて、難燃性が得られるため、レンジ周りのような火気を扱うような場面での使用時における安全性が高まる。
【００３１】
請求項６記載の発明は、請求項１から請求項４のいずれかに記載の発明の効果に加えて、空気中に含まれる油分が凝縮してシートに捕集されやすくなるため、油捕集性能が向上する。
【００３２】
請求項７記載の発明は、積層体から、多数の上記フィルター構造体が得られるため、所望の厚みのフィルター構造体を効率よく製造することができる。
【００３３】
請求項８記載の発明は、請求項７記載の発明の効果に加えて、切断するたびに上記フィルター構造体を得ることができるため、歩留りが向上する。
【００３４】
請求項９記載の発明は、請求項７記載の発明の効果に加えて、積層体から上記フィルター構造体を効率的に製造することができる。
【図面の簡単な説明】
【００３５】
【図１】この発明の第１の実施の形態によるフィルター構造体の外観を示す概略斜視図である。
【図２】図１に示したフィルター構造体の“Ａ”部分の部分拡大図である。
【図３】図１に示したフィルター構造体を最も縮めた場合の外観を示す概略斜視図である。
【図４】図３に示したフィルター構造体の“Ｂ”部分の部分拡大図である。
【図５】図１に示したフィルター構造体を伸縮させた状態を示す模式図であり、（ａ）、（ｂ）及び（ｃ）は、それぞれ、フィルター構造体の伸縮前、縮小後、伸長後の状態を示している。
【図６】フィルター構造体の油捕集機能について説明する模式図であって、図２に示したＶＩ−ＶＩラインの端面図に対応する図である。
【図７】図１にフィルター構造体をレンジフードの金属フィルターに取り付ける状態を示した斜視図である。
【図８】この発明の第２の実施の形態によるフィルター構造体の製造方法を示す図であって、図１に示したフィルター構造体を製造するための積層体の外観を示す概略斜視図である。
【図９】図８に示したＩＸ−ＩＸラインの概略部分断面図である。
【図１０】図８に示した積層体を長手方向視したときの図である。
【図１１】フィルター構造体の製造方法を示す図であって、図８に示した積層体を矢印ＸＩ方向視したときの外観を示す図である。
【図１２】この発明の第３の実施の形態によるフィルター構造体の製造方法を示す図であって、図１１に対応する図である。
【図１３】図１２に示したフィルター構造体の製造方法によって製造したフィルター構造体の油捕集機能について説明する模式端面図であって、図６に対応する図である。
【図１４】この発明の第４の実施の形態によるフィルター構造体の外観を示す図であって、図９に対応する図である。
【発明を実施するための形態】
【００３６】
図１は、この発明の第１の実施の形態によるフィルター構造体の外観を示す概略斜視図であり、図２は、図１に示したフィルター構造体の“Ａ”部分の部分拡大図であり、図３は、図１に示したフィルター構造体を最も縮めた場合の外観を示す概略斜視図であり、図４は、図３に示したフィルター構造体の“Ｂ”部分の部分拡大図であり、図５は、図１に示したフィルター構造体を伸縮させた状態を示す模式図であり、（ａ）、（ｂ）及び（ｃ）は、それぞれ、フィルター構造体の伸縮前、縮小後、伸長後の状態を示している。
【００３７】
これらの図を参照して、フィルター構造体１は、シートと接合部分とからなる積層構造であって積層方向Ｘへ伸縮可能なハニカム構造を有している。
【００３８】
より具体的には、図２及び図４を参照して、フィルター構造体１は、可撓性を有し、各々の面同士が積層される短冊状の複数のシート１０Ａ、１０Ｂ、１０Ｃ及び１０Ｄと、シート１０Ａ、１０Ｂ、１０Ｃ及び１０Ｄの積層方向Ｘにおいて隣接するシートの間をアクリル樹脂系等の合成系接着剤によってつなぎ合わせてなる接合部分とを含む。
【００３９】
尚、図１に示すフィルター構造体１の長手方向の大きさＨ１及び短手方向の大きさＷは、それぞれ、３４．０ｃｍ及び０．５ｃｍに設定している。又、シートの積層方向の大きさＶ１は、伸縮の度合いを調節することにより、３０．０ｃｍに設定している。
【００４０】
又、図３に示すフィルター構造体１の長手方向の大きさＨ２は、図１に示したフィルター構造体の大きさＨ１と略同じである。又、図３に示すように、最も縮めたフィルター構造体１の積層方向Ｘの大きさＶ２は、４．５ｃｍに設定している。
【００４１】
シート１０Ａ、１０Ｂ、１０Ｃ及び１０Ｄは、難燃剤としての水酸化アルミニウム（金属水酸化物）を含んだ紙材料からなる。このように、難燃性が付与されているため、レンジ周りのような火気を扱うような場面での使用時における安全性の向上が図られている。
【００４２】
尚、難燃剤としては、本発明の効果を阻害しない限り、種々のものを用いることができる。難燃剤は大別すれば、ハロゲン元素を含むハロゲン系難燃剤とハロゲン元素を含まないノンハロゲン系難燃剤とに分けられるが、本発明で用いる難燃剤としてはいずれのものも使用できる。ハロゲン元素を含むハロゲン系難燃剤としては、例えば、臭素化合物、塩素化合物、含ハロゲンりん系化合物など化合物が挙げられる。
【００４３】
又、ハロゲン元素を含まないノンハロゲン系難燃剤としては、無機系と有機系のものがある。例えば、無機系のノンハロゲン難燃剤としては、水酸化アルミニウム、水酸化マグネシウム、アルミ酸カルシウム等の水和金属化合物、赤りんなどのりん系化合物、リン酸アンモニウム、炭酸アンモニウムなどの窒素系化合物、モリブデン化合物、ホウ素亜鉛、錫酸亜鉛などの無機化合物が挙げられる。
【００４４】
一方、有機系のノンハロゲン難燃剤としては、りん酸エステル、含りんポリオール、含りんアミンなどのハロゲンを含まないりん系化合物や、シリコーンポリマー粉末などのシリコーン化合物や、トリアジン化合物、メラミンシアヌレート、グアニジン化合物などのハロゲンを含まない窒素系化合物が挙げられる。
【００４５】
この中でも本発明においては、熱による分解で有毒ガスが発生しにくいノンハロゲン難燃剤が好ましく、その中でも熱によって水蒸気が発生するだけで有毒ガスが発生しない水和金属化合物がより好ましく、その中でも水酸化アルミニウム等の金属水酸化物が特に好ましい。
【００４６】
接合部分は、シート１０Ａ及び１０Ｂの間の層Ｌ１、シート１０Ｂ及び１０Ｃの間の層Ｌ２、シート１０Ｃ及び１０Ｄの間の層Ｌ３の各層において、以下のようにして設けられる。
【００４７】
まず、層Ｌ２では、シート１０Ｂの接着部２１Ｂ及びシート１０Ｃの接着部２１Ｃが接着剤３３により接合されて接合部分４３が形成されると共に、シート１０Ｂの接着部２５Ｂ及びシート１０Ｃの接着部２５Ｃが接着剤３４により接合されて接合部分４４が形成されている。
【００４８】
又、層Ｌ１では、シート１０Ａの接着部２３Ａ及びシート１０Ｂの接着部２３Ｂが接着剤３１により接合されて接合部分４１が形成され、層Ｌ３では、シート１０Ｃの接着部２３Ｃ及びシート１０Ｄの接着部２３Ｄが接着剤３６により接合されて接合部分４６が形成されている。
【００４９】
シート１０Ｂにおいて、接合部分４３及び接合部分４１の間と、接合部分４１及び接合部分４４の間とにおいて、それぞれ、接着剤が塗布されていない非接着部２２Ｂと、非接着部２４Ｂとが設けられている。同様に、シート１０Ｃにおいて、接合部分４３及び接合部分４６の間と、接合部分４６及び接合部分４４の間とにおいて、それぞれ、表裏に接着剤が塗布されていない非接着部２２Ｃと、非接着部２４Ｃとが設けられている。
【００５０】
又、非接着部２２Ｂ、接着部２３Ｂ、非接着部２４Ｂ、非接着部２２Ｃ、接着部２３Ｃ及び非接着部２４Ｃにより、六角形状の通気口５２が形成される。尚、図２において、Ｄは、積層方向Ｘにおける接合部分４１及び接合部分４６の間のセルサイズ（通気口５２のサイズ）を表し、Ｈは、長手方向Ｙにおける接合部分４３及び接合部分４４の間のサイズ（通気口５２の長手方向Ｙの大きさ）を表している。
【００５１】
図４を参照して、それぞれの接合部分の位置関係についてより詳細に説明すると、層Ｌ１、Ｌ２及びＬ３の各層では、長手方向Ｙに所定の間隔で各接合部分が設けられる。例示的には、層Ｌ２では、接合部分４３は、接合部分４４に対して、長手方向Ｙに距離Ｆだけ離間して設けられる。
【００５２】
又、積層方向Ｘに隣接する層にある接合部分同士は、積層方向Ｘの投影視において重ならないように離間される。例示的には、隣接する層Ｌ２及び層Ｌ３の間では、層Ｌ２の接合部分４３は、層Ｌ３の接合部分４６に対して、積層方向Ｘの投影視において距離Ｅだけ離間される。
【００５３】
以上により、フィルター構造体１全体としては、接合部分の各々は、前記短冊状の短手方向視において、千鳥状に配置される。
【００５４】
フィルター構造体１がこのような構造を有しているため、隣接する層の間の接合部同士の間に設けられた各非接着部が、図４に示すように長手方向Ｙと平行な状態から、図２に示すように長手方向Ｙに対して傾斜した状態に変形することができるようになり、フィルター構造体１全体としては、積層方向Ｘに伸縮可能な中空六角形状のハニカム構造が得られる。このため、フィルター構造体１を取り付けるレンジフードの金属フィルターの大きさに応じて、図５の（ａ）に示すように矢印Ｊ方向にフィルター構造体１を縮めて（ｂ）に示す状態にしたり、図５の（ａ）に示す矢印Ｋ方向にフィルター構造体を更に伸長して（ｃ）に示す状態にしたりすることができる。
【００５５】
又、このように構成すると、シートと接合部分とからなる積層構造が積層方向Ｘへ伸長可能なハニカム構造となるため、流通時には嵩張らないように、図３に示したような最大限に縮小した状態にしておくことができ、使用時には図１や図５の（ｃ）に示したような状態に伸長することで油捕集機能を発揮できるフィルター構造体１が得られる。又、フィルター構造体１を伸縮させることで通気口５２の大きさを調節して油捕集機能を調節することも可能である。
【００５６】
図６は、フィルター構造体の油捕集機能について説明する模式図であって、図２に示したＶＩ−ＶＩラインの端面図に対応する図である。
【００５７】
同図を参照して、油煙７７を含んだ空気が、フィルター構造体１が備える通気口５２を通過する際、シート１０の内壁に衝突すると、油がシート１０の内壁に吸着される。このようにして、フィルター構造体の油捕集機能が発揮される。
【００５８】
従って、セルサイズＤを小さくすれば、通気口５２を通過する空気の抵抗が高くなり、油捕集機能が向上する。
【００５９】
図７は、図１にフィルター構造体をレンジフードの金属フィルターに取り付ける状態を示した斜視図である。
【００６０】
同図を参照して、レンジフード７０の吸気口７２の開口７３に、金属フィルター７４が取り付けられる。金属フィルター７４は、矩形形状を有しており、長辺方向に伸びる複数のスリット７５を有している。
【００６１】
取付けに際しては、例えば、フィルター構造体１の伸長方向Ｋと、金属フィルター７４のスリット７５が伸びる方向とが一致するように向きを合わせた後、金属フィルター７４の長辺の長さに応じてフィルター構造体１を伸長させ、金属フィルター７４の四隅に粘着テープ等により固定する。
【００６２】
尚、フィルター構造体１では、通気口５２について、セルサイズＤをサイズＨよりも小さく設定している。これにより、通気口５２の短手方向が、フィルター構造体１の伸長方向Ｋに一致し、通気口５２の長手方向がフィルター構造体１の伸長方向Ｋに直交する。このため、フィルター構造体１の通気口５２の長手方向が、金属フィルター７４のスリット７５が伸びる方向と直交する。従って、フィルター構造体１が、金属フィルター７４にセットされたときに、油煙を含む空気がフィルター構造体１の通気口５２及び金属フィルター７４のスリット７５を通過するときの抵抗が高くなる。よって、フィルター構造体１の通気口５２及び金属フィルター７４のスリット７５において油を吸着しやすくなる。
【００６３】
図８は、この発明の第２の実施の形態によるフィルター構造体の製造方法を示す図であって、図１に示したフィルター構造体を製造するための積層体の外観を示す概略斜視図であり、図９は、図８に示したＩＸ−ＩＸラインの概略部分断面図であり、図１０は、図８に示した積層体を長手方向（Ｚ方向）視したときの図であり、図１１は、フィルター構造体の製造方法を示す図であり、図８に示した積層体を矢印ＸＩ方向視したときの外観を示す図である。
【００６４】
尚、説明に当たっては、第１の実施の形態によるものと同一のものについては、その説明を繰り返さない。
【００６５】
まず、図８〜図１０を参照して、可撓性を有する同一矩形状の基材シート１１、１２、１３、１４、１５及び１６を、端縁を揃えて重ねた状態でシート同士を接着剤によって接着して積層して直方体棒形状の積層体５を準備する。
【００６６】
尚、以下の説明では、各基材シートの長手方向が矢印Ｚと一致し、短手方向が矢印Ｙに一致するよう位置合わせしている。以下、矢印Ｚの方向及び矢印Ｙの方向を、それぞれ、長手方向Ｚ及び短手方向Ｙと称する。
【００６７】
又、以下の説明では、便宜上、基材シートは、基材シート１１、１２、１３、１４、１５及び１６の６枚として説明するが、これに限られない。任意の枚数だけ基材シートを積層して、積層体５を作成することができる。又、各基材シートを接着剤によって接着する位置やその数についても、以下の説明に限られず、任意に設定することができる。
【００６８】
より具体的には、積層体５は、複数枚の基材シートを以下の（ｉ）、（ｉｉ）及び（ｉｉｉ）の条件により積層して作成する。
【００６９】
（ｉ）隣接する基材シート同士に対しては、短手方向Ｙに距離Ｆの間隔で、基材シートの短辺に直交する方向（すなわち、長手方向Ｚ）に沿って複数の筋状に接着剤を塗布して接合部分を設ける（例えば、基材シート１１における接合部分５０ａ及び５０ｂ等）。
【００７０】
（ｉｉ）：隣接する層にある接合部分同士については、積層方向Ｘの投影視において重ならないように短手方向Ｙに距離Ｅ（ただし、距離Ｅ＜距離Ｆ）だけ離間する（例えば、基材シート１１の接合部分５０ａ及び基材シート１２の接合部分５０ｃ等）。
【００７１】
（ｉｉｉ）：接合部分の各々が、長手方向Ｚから見たときに千鳥状になるように配置する（図１０等参照）。
【００７２】
図１１を参照して、このようにして準備した積層体は、基材シートの短辺の各々を含む仮想平面を端面Ｔ（図１１参照）とする直方体棒形状となる。
【００７３】
次に、このようにして準備した積層体５を、端面Ｔに続く胴体部６を平面状の切断面で切断刃７によって切断する。より具体的には、積層体５を、長手方向Ｚに所定間隔で、積層方向Ｘに沿って（積層体５の上面に対して垂直に）切断する。このように切断すると、切断面は、端面Ｔに対して平行で且つ所定間隔の位置に形成された少なくとも一つの面を含むものとなる。これにより、切断部分２としてのフィルター構造体１を得る。
【００７４】
このような製造方法によれば、積層体５から、所望の厚みの多数のフィルター構造体が得られるため、フィルター構造体１を効率よく製造することができる。
【００７５】
又、このようにして得られたフィルター構造体１では、複数のシート各々は、複数のシート各々の面の直交方向が、積層方向Ｘに一致するように積層される。これにより、短冊状の短手方向Ｚ（すなわち、シートが短手方向に伸びる方向）が短冊状の短手方向Ｚの端部を含む仮想平面に直交する構造となるため、仮想平面に直交する方向からの力に対する強度が高くなる。
【００７６】
図１２は、この発明の第３の実施の形態によるフィルター構造体の製造方法を示す図であって、図１１に対応する図であり、図１３は、図１２に示したフィルター構造体の製造方法によって製造したフィルター構造体の油捕集機能について説明する模式端面図であり、図６に対応する図である。
【００７７】
尚、説明に当たっては、基本的には第２の実施の形態によるものと同一であるため、その相違点を中心に説明する。
【００７８】
まず、図１２を参照して、この実施の形態によるフィルター構造体の製造方法にあっては、積層体５の切断面が端面に対して平行となるように積層体５を切断する第１の実施の形態と異なり、積層体５の切断面が端面に対して傾斜するように積層体５を切断する。
【００７９】
具体的には、まず、実線で示す切断刃７Ａの位置で、積層体５を端面Ｔに対して角度θだけ傾斜して切断し、更に、二点鎖線で示す切断刃７Ｂの位置で、切断刃７Ａによる切断面に対して平行な切断面で切断する。これにより、切断部分２としてのフィルター構造体３が得られる。以後これを繰り返し、各々が端面Ｔに対して傾斜し且つ所定間隔の位置に平行に形成された少なくとも一対の面を含む切断面で積層体５を切断すれば、所望の数のフィルター構造体３を得ることができる。
【００８０】
又、フィルター構造体３では、複数のシート１０各々の面の直交方向Ｑ（すなわち、最上位のシート１０の上面を含む仮想平面Ｐの直交方向）が、短冊状の短手方向Ｚの端面を含む仮想平面Ｒに対して傾斜するように積層される。尚、使用時には、フィルター構造体３を直交方向Ｑに所望の大きさに伸長させればよい。
【００８１】
次に、図１３を参照して、フィルター構造体３によれば、シート１０の面が、空気の通過方向に対して傾斜するため、油煙を含む空気がシート１０間の通気口５２を通過する際に、シート１０の面に接触して油分が付着しやすくなる。このように、油分がシート１０の面に接触して付着しやすくなるため、第１の実施の形態にて示したフィルター構造体１と比較して油捕集機能が向上する。
【００８２】
図１４は、この発明の第４の実施の形態によるフィルター構造体の外観を示す図であり、図９に対応する図である。尚、説明に当たっては、基本的には第２の実施の形態によるものと同一であるため、その相違点を中心に説明する。
【００８３】
同図を参照して、この実施の形態によるフィルター構造体の製造方法にあっては、積層の条件（ｉ）を第２の実施の形態のものから下記の（ｉ−１）に変更している。
【００８４】
（ｉ−１）：各基材シートにおいては、短手方向Ｙに距離Ｆの間隔で、長手方向Ｚに対して傾斜した方向に沿って筋状に接着剤を塗布して接合部分を設ける。
【００８５】
このようにして作成した積層体５を、第２の実施の形態と同様、長手方向Ｚに所定間隔で切断することで、フィルター構造体４を得る。
【００８６】
このようにして得られたフィルター構造体４では、接合部分５０は、短手方向Ｚの一方から他方にかけて形成され、短手方向Ｚに交差する角度λで設けられる。
【００８７】
このように構成すると、油煙を含む空気がシート間を通過する際に、接合部分５０及びその周りのシートの部分に接触して油分が付着しやすくなる。よって、第２の実施の形態にて示したフィルター構造体１と比較して油捕集性能が向上する。
【００８８】
尚、上記各実施の形態では、特定の形状及び寸法のフィルター構造体について説明したが、これに限られない。特に、フィルター構造体を構成する各シート及び接合部分の数や形状は、接合部分の各々を、シートの短手方向視において、千鳥状に配置する限り、任意に設定できる。
【００８９】
又、上記第２の実施の形態では、長手方向に沿って筋状に接着剤を塗布していたが、これに限られない。短手方向に沿って筋状に接着剤を塗布してもよい。すなわち、接着剤は、基材シートの矩形状の第１辺に対して交差する第１の方向に塗布すればよい。この場合、接合部分の各々は、第１辺の直交方向視において、千鳥状になるように配置すればよい。又、この場合、積層した複数枚の基材シートは、基材シートの矩形状の第１辺に直交する第２辺が伸びる方向において所定間隔で第１辺が伸びる方向に切断すればよい。
【００９０】
更に、上記第１の実施の形態では、シート間をアクリル系接着剤によって接合していたが、これに限られず、その他の種類の有機系接着剤等を用いてもよい。又、シート間を接着剤を用いない他の接合方法により接合してもよい。又、接着剤を用いない他の接合方法としては、例えば、シート同士を加締めるようにして圧着することで接合する方法、シート同士をヒートシールによる熱融着により接合する方法、超音波により接合する方法等を採用することができる。又、以上では、シート間を筋状に接合することについて説明したが、他のパターンにより接合しても構わない。例えば、シート間を島状又はドット状等のパターンにより接合しても構わない。
【００９１】
更に、上記第１の実施の形態では、シートを、水酸化アルミニウムを含んだ紙材料により構成していたが、これに限られない。シートを、例えば、アルミニウム材料等の金属箔材料により構成してもよい。金属箔材料は比較的熱伝導率が高い傾向があるので、放熱効果が高くなり、フィルターを通過する空気中に含まれる油分が凝縮してシートに捕集されやすくなる。よって、油捕集性能が向上する。又、シートを、例えば、ポリカーボネート材料等の合成樹脂により構成してもよい。
【００９２】
更に、上記第３の実施形態と上記第４の実施形態とを組み合わせることもできる。すなわち、上記第４の実施形態で示した方法で作成した積層体を、各々が端面に対して傾斜し且つ所定間隔の位置に平行に形成された少なくとも一対の面を含む切断面で切断してもよい。
【００９３】
これにより、油煙を含む空気が、シート間を通過する際に接合部分及びその周りのシートの部分と、シートの面とに接触して油分が付着しやすくなる。これにより、更なる油捕集機能の向上を図ることができる。
【実施例】
【００９４】
このように、フィルター構造体を構成するシートの素材や、積層体からの切り出し方によって、フィルター構造体の油捕集機能等の特性が異なる。又、嵩高さの安定性もフィルター構造体の油捕集機能と関連の深い特性である。
【００９５】
このため、フィルター構造体の油捕集機能及び嵩高さの安定性を評価するための実験を行った。
【００９６】
まず、実験に際しては、フィルター構造体として、素材及び切り出し方が異なるものを４種類用意した。
【００９７】
〔実施例１〕
シートは水酸化アルミニウムを含む紙材料により構成し、切り出し方は、第２の実施の形態で説明したように積層体の端面に対して平行に切り出す手法を採用した。
【００９８】
〔実施例２〕
シートは、実施例１と同様、水酸化アルミニウムを含む紙材料により構成する一方で、切り出し方は、第３の実施の形態で説明したように積層体を端面に対して角度θだけ傾斜した角度で切断する手法を採用した。尚、角度θは４５°に設定した。
【００９９】
〔実施例３〕
シートは、アルミニウム箔により構成した。又、切り出し方は、実施例１と同様、積層体の端面に対して平行に切り出す手法を採用した。
【０１００】
〔実施例４〕
シートは、実施例３と同様、アルミニウム箔により構成した。又、切り出し方は、実施例２と同様、積層体を端面に対して角度４５°だけ傾斜した角度で切断する手法を採用した。
【０１０１】
尚、各実施例のフィルター構造体１の大きさは、長手方向の大きさ及び短手方向の大きさを、それぞれ、３４．０ｃｍ及び０．５ｃｍとした。又、各シートの厚みは、０．２ｍｍに設定し、このシートを２００枚積層して、フィルター構造体１を最も縮めたときのシートの積層方向の大きさが、４．５ｃｍになるようにフィルター構造体を作製した。又、筋状に塗布する接着剤の幅及び接着剤同士の間隔は、それぞれ、８ｍｍ及び３５ｍｍとした。
【０１０２】
又、ハニカム構造のセル（すなわち、通気口）のセルサイズＤ及びサイズＨは、それぞれ、２ｍｍ及び３０ｍｍに設定した状態で実験を行った。
【０１０３】
更に、比較例として、従来の不織布の油捕集機能及び嵩高さの安定性も評価した。
１．油捕集機能に関する実験
１−１．測定条件
油捕集機能は、各実施例に係るフィルター構造体又は比較例に係る不織布を試験体として、油捕集機能を評価するため下記の手順で実験を行った。
（１）試験体をレンジフードの金属フィルターに粘着テープによりセットしておく。
（２）コンロの上にのせたフライパンをあらかじめ熱する。
（３）熱したフライパンの上方より油滴を滴下する。尚、油滴は、約１２．５ｇの油を１０秒間で１０滴の速さで滴下し、この滴下を５分程度継続して行った。又、水滴は、約３９．８ｇの水を１０秒間で３０滴の速さで滴下し、この滴下を５分程度継続して行った。
（４）換気扇で蒸発した油分の排気を行い、レンジフードにおいて２０分間油分を捕集する。
１−２．評価基準
試験体をレンジフードの金属フィルターから取り外したのち、粘着テープ（商品名：ニチバンセロテープ（登録商標）１８ｍｍ×３５ｍｍ、粘着力３．９３Ｎ／１０ｍｍ）を金属フィルターに取り付ける。このとき、粘着テープが金属フィルターに粘着し、更に、引き剥がす際に油分が付着していない場合の粘着力と同様の粘着力であるかどうかを評価した。実験後に金属フィルターが油で汚れていれば粘着テープの粘着力が弱まり、この場合、油捕集機能は低いと考えられる。一方で、十分な油捕集機能が発揮され、金属フィルターの油汚れが抑制されていれば、粘着テープの粘着力はさほど変化がないものと考えられる。
２．嵩高さの安定性に関する実験
２−１．測定条件
嵩高さの安定性は、５０ｃｍ×５０ｃｍのサイズにカットした試験体の上全面にアクリル板と重りを載せ、５ｇ／ｃｍ２の荷重をかけ、１０分間放置後、スケールにより嵩高さを測定した。
２−２．評価基準
スケールにより測定した嵩高さが、実験の前後において１０％以上変化したか否かを評価した。
３．嵩高さの安定性に関する実験後の油捕集機能に関する実験
上記２．に示した「嵩高さの安定性に関する実験」を行った後、更に、上記１．に示した「油捕集機能に関する実験」を行った。尚、この実験は、「発明が解決しようとする課題」の欄にて記載した“不織布フィルターを真空包装すれば、嵩高さが減少するので輸送には適するが、不織布フィルター本来の油捕集性能を発揮できなくなってしまう”という課題を、各実施例において解決できているかどうかを確認するために行った。
３−１．測定条件
上記１−１．に示した測定条件と同様である。
３−２．評価基準
上記１−２．に示した評価基準と同様である。
【０１０４】
上述のようにして行った実施例１〜４及び比較例に係る実験結果を以下の表に示す。
【０１０５】
【表１】
2016153104.tif 000003
３．実験結果
上記の表の「油捕集機能」の列を参照して、金属フィルターに粘着テープが粘着し、更に、引き剥がす際に油分が付着していない場合の粘着力と同様の粘着力が維持されていたものには“◎”印を、粘着テープは粘着するが、引き剥がす際に油分が付着していない場合の粘着力よりも弱い粘着力であったものには“〇”印を、粘着しなかったものには“×”印を付けている。
【０１０６】
又、「嵩高さの安定性」の列を参照し、実験前後において、嵩高さの変化が１０％未満であったものには、“〇”印を、嵩高さが１０％以上変化したものには“×”印を付している。
【０１０７】
又、「嵩高さの安定性試験後の油捕集機能」の列を参照し、「嵩高さの安定性に関する実験」を行った後の油捕集機能についても、「油捕集機能」の列と同様、“◎”、“〇”及び“×”で評価している。
【０１０８】
又、「合否判定」の列を参照して、油捕集機能及び嵩高さの安定性のいずれの評価においても“〇”であった場合、“合”、そうでなかった場合は“否”と記載している。
【０１０９】
その結果、「油捕集機能」は、実施例１及び３では、“〇”であったのに対して、実施例２及び４では“◎”であった。又、「嵩高さの安定性」は、実施例１〜４のいずれも“〇”であった。更に、「嵩高さの安定性試験後の油捕集機能」は、実施例１〜４のいずれにおいても嵩高さの安定性試験前との間で変化がなかった。
【０１１０】
以上より、実施例１〜４のいずれにおいても、十分な「油捕集機能」及び「嵩高さの安定性」、更には「嵩高さの安定性試験後の油捕集機能」を確認できたといえる。
【０１１１】
尚、比較例では、「油捕集機能」においては“〇”であったが、嵩高さの安定性は“×”であり、又、「嵩高さの安定性試験後の油捕集機能」は、“×”であった。よって、合否判定は“否”としている。
【符号の説明】
【０１１２】
１、３、４…フィルター構造体
２…切断部分
５…積層体
１０、１０Ａ、１０Ｂ、１０Ｃ、１０Ｄ…シート
１１〜１６…基材シート
２１、２３、２５…接着部
２２、２４…非接着部
３１、３３、３４、３６…接着剤
４１、４３、４４、４６…接合部分
５０ａ、５０ｂ、５０ｃ…接合部分
尚、各図中同一符号は同一又は相当部分を示す。
【図１】
2016153104.tif 000004
【図２】
2016153104.tif 000005
【図３】
2016153104.tif 000006
【図４】
2016153104.tif 000007
【図５】
2016153104.tif 000008
【図６】
2016153104.tif 000009
【図７】
2016153104.tif 000010
【図８】
2016153104.tif 000011
【図９】
2016153104.tif 000012
【図１０】
2016153104.tif 000013
【図１１】
2016153104.tif 000014
【図１２】
2016153104.tif 000015
【図１３】
2016153104.tif 000016
【図１４】
2016153104.tif 000017